(57)【要約】【課題】入力画像信号を出力画像信号へ変換する色変換において、人間の視覚特性に合致し、色のずれやバラツキのない色再現を実現する。【解決手段】測色器の画像信号を、プリンタの画像信号へ色変換可能な画像処理装置であって、ＨＶＣ色空間における任意の色相における各明度ごとの等色相線を、Ｌａｂ色空間に変換することで得られるＬａｂ色空間上の等色相線を設定する等色相線設定部６０６と、プリンタにおいて色再現可能な色域の最外郭部を、Ｌａｂ色空間の各明度ごとに設定する外郭算出処理部６０７と、Ｌａｂ色空間において、白色から黒色に至るまでの、所定の色相における色の階調変化を示す階調点情報を、等色相線と最外郭部とに基づいて、各明度ごとに算出する交点算出部６０８と、階調点情報に基づいて、色変換のためのプロファイルを生成するプロファイル生成手段とを備える。【選択図】　図６
2004104603.tif 000002
【特許請求の範囲】
【請求項１】
第１のデバイスを介して入力される画像信号を、第２のデバイスを介して出力される画像信号へ色変換可能な画像処理装置であって、
視覚特性に対応した色信号情報をもつ色空間における任意の色相における各明度ごとの等色相線を、均等表色系の色空間に変換することで得られる均等表色系の色空間における等色相線を設定する等色相線設定手段と、
前記第２のデバイスにおいて色再現可能な色域の最外郭部を、前記均等表色系の色空間の各明度ごとに算出する外郭算出手段と、
前記均等表色系の色空間において、白色から黒色に至るまでの、所定の色相における色の階調変化を示す階調点情報を、前記等色相線設定手段により設定される等色相線と、前記外郭算出手段により算出される最外郭部とに基づいて、各明度ごとに算出する階調点算出手段と、
前記階調点情報に基づいて、色変換のためのプロファイルを生成するプロファイル生成手段と
を備えることを特徴とする画像処理装置。
【請求項２】
前記階調点算出手段は、前記等色相線設定手段により設定される等色相線と、前記デバイス色域設定手段により設定される最外郭部との交点により前記階調点情報を算出することを特徴とする請求項１に記載の画像処理装置。
【請求項３】
前記視覚特性に対応した色信号情報をもつ色空間は、ＨＶＣ色空間であることを特徴とする請求項１に記載の画像処理装置。
【請求項４】
前記均等表色系の色空間は、Ｌ＊ａ＊ｂ＊色空間であることを特徴とする請求項１に記載の画像処理装置。
【請求項５】
第１のデバイスを介して入力される画像信号を、第２のデバイスを介して出力される画像信号へ色変換可能な画像処理装置における画像処理方法であって、
視覚特性に対応した色信号情報をもつ色空間における任意の色相における各明度ごとの等色相線を、均等表色系の色空間に変換することで得られる均等表色系の色空間における等色相線を設定する等色相線設定工程と、
前記第２のデバイスにおいて色再現可能な色域の最外郭部を、前記均等表色系の色空間の各明度ごとに算出する外郭算出工程と、
前記均等表色系の色空間において、白色から黒色に至るまでの、所定の色相における色の階調変化を示す階調点情報を、前記等色相線設定工程により設定される等色相線と、前記外郭算出工程により算出される最外郭部とに基づいて、各明度ごとに算出する階調点算出工程と、
前記階調点情報に基づいて、色変換のためのプロファイルを生成するプロファイル生成工程と
を備えることを特徴とする画像処理方法。
【請求項６】
前記階調点算出工程は、前記等色相線設定工程により設定される等色相線と、前記外郭算出工程により算出される最外郭部との交点により前記階調点情報を算出することを特徴とする請求項５に記載の画像処理方法。
【請求項７】
前記視覚特性に対応した色信号情報をもつ色空間は、ＨＶＣ色空間であることを特徴とする請求項５に記載の画像処理方法。
【請求項８】
前記均等表色系の色空間は、Ｌ＊ａ＊ｂ＊色空間であることを特徴とする請求項５に記載の画像処理方法。
【請求項９】
請求項５乃至８のいずれか１つに記載の画像処理方法をコンピュータによって実現させるための制御プログラムを格納した記憶媒体。
【請求項１０】
請求項５乃至８のいずれか１つに記載の画像処理方法をコンピュータによって実現させるための制御プログラム。
【発明の詳細な説明】
【０００１】
【発明の属する技術分野】
本発明は入力手段によって入力されたカラー画像信号を出力手段によって出力する際の色補正処理において、補正後の色を最適化する技術に関する。
【０００２】
【従来の技術】
入力カラー画像信号を出力機器に適した画像信号に変換する手法として、従来より様々な色補正方法が知られており、出力される画像の用途に応じて使い分けられている。例えば、写真調色補正はイメージ画像を好ましく出力するための色補正方法として使用され、また、グラフィックス色補正は、テキストやグラフ画像のようなビジネス文書を好ましく出力するための色補正方法として使用されている。
【０００３】
中でも、グラフィックス色補正が使用される最近のプレゼンテーション資料では、ある色からある色へ段階的に変化するグラデーションパターンが、画像の背景や、あるいは、図形のテクスチャとして多用される傾向にある。
【０００４】
グラデーションに使用される色に関しては、白色（Ｗ）−プライマリカラー（Ｐｒｉｍａｒｙ　Ｃｏｌｏｒ：赤（Ｒｅｄ）、緑（Ｇｒｅｅｎ）、青（Ｂｌｕｅ）、シアン（Ｃｙａｎ）、マゼンタ（Ｍａｇｅｎｔａ）、イエロー（Ｙｅｌｌｏｗ）、以下、ｃｏｌと称す）−黒色（Ｂｋ）間のグラデーションが用いられることが多く、また、鮮やかな色によるグラデーションの色再現が一般的に好まれるため、白色（Ｗ）−プライマリカラー（ｃｏｌ）−黒色（Ｂｋ）間の色再現については、出力機器のもつ色域の最外郭部の色（最も彩度の大きい色）が使用される。
【０００５】
この時、白色（Ｗ）−プライマリカラー（ｃｏｌ）−黒色（Ｂｋ）間の色再現については、同じ色味の変化となるように、すなわち同一の色相変化となるように色補正処理が行われる。
【０００６】
かかる色補正処理が可能な従来の画像処理装置について、図３、図１６、図１７を用いて以下に説明する。図１６は画像処理装置の概略構成を示すブロック図である。
【０００７】
同図において、１６０１はＣＰＵであり、ＲＯＭ１６０２に記憶されている情報データや制御プログラム、ＯＳ（オペレーティングシステム）、アプリケーションプログラム（以下、アプリケーションという）、カラーマッチング処理モジュール、デバイスドライバ等に従って、ＲＡＭ１６０３、操作部１６０４、画像処理部１６０５、モニタ１６０６、入力デバイスＩ／Ｆ１６０７、出力デバイスＩ／Ｆ１６０８の各種制御を行う。
【０００８】
１６０７はＣＣＤセンサを含むイメージスキャナ等の画像読取装置や測色器等の入力デバイスと接続可能な入力デバイスＩ／Ｆであり、該入力デバイスＩ／Ｆを介して、プロファイルを作成したい色空間情報を取得する。１６０８は、インクジェットプリンタ、熱転写プリンタ、ドットプリンタ等の出力デバイスと接続可能な出力デバイスＩ／Ｆであり、色補正された画像が該出力デバイスＩ／Ｆを介して出力される。
【０００９】
ＲＡＭ１６０３は各種制御プログラムや操作部１６０４から入力されるデータを保持するための作業領域及び一時待避領域である。１６０４は操作部であり、出力デバイスの設定データの入力等を行う。
【００１０】
１６０５は画像処理部であり、色域写像処理を行い、当該処理結果を用いて生成されたプロファイルにより、入力カラー画像信号を出力デバイスにおける画像信号（出力カラー画像信号）に変換する。
【００１１】
１６０６はモニタであり、画像処理部１６０５の画像処理結果や操作部１６０４より入力された設定データ等を表示する。
【００１２】
次に、入力カラー画像信号を出力カラー画像信号に変換するためのプロファイルを作成する画像処理部１６０５について以下に説明する。なお、入力カラー画像信号から出力カラー画像信号への変換とは、入力デバイスの入力色空間における色座標値を、出力デバイス（例えばプリンタ）の出力色空間に写像することをいう。
【００１３】
図１７は、画像処理部１６０５の詳細を示すブロック図であり、任意の入力色空間における情報を出力色空間に写像するためのプロファイルを生成するプロファイル作成部１７０１を備える。
【００１４】
１７０９、１７１０は端子であり、端子１７０９からは出力デバイスであるプリンタの出力色空間を示す色再現域に関する情報（以下、「プリンタ色再現域情報」と称す）が、端子１７１０からは入力デバイスの入力色空間を示す色域に関する情報（入力色空間情報）がそれぞれ入力される。
【００１５】
１７０４は入力色域記憶装置であり、端子１７１０を介して入力された入力色空間情報を記憶する。また、１７０５はプリンタ色域記憶装置であり、端子１７０９を介して入力されたプリンタ色再現域情報を記憶する。
【００１６】
１７０６は写像パラメータ計算装置であり、プリンタ色再現域情報と、入力色空間情報とを参照して、後述の色域写像装置１７０７において必要な色空間圧縮パラメータの算出を行う。
【００１７】
１７０７は色域写像装置であり、入力色空間情報とプリンタ色再現域情報と色空間圧縮パラメータとを用いて、入力カラー画像信号に対して所望の階調を持つ画像品質を再現するように、入力色空間の色域（入力色再現域）をプリンタ色再現域へ写像する。以下、前記写像結果を写像色再現域と呼称する。
【００１８】
１７０８はプロファイル作成装置であり、入力色再現域と写像色再現域との対応関係を参照して、入力カラー画像信号（ＲＧＢデータ）から出力カラー画像信号（ＣＭＹＫデータ）に変換するための変換用プロファイルを作成する。そして、作成された変換用プロファイルがＲＡＭ１７０２へ書きこまれる。
【００１９】
また、１７１１、１７１２は端子であり、端子１７１１からはＲＧＢデータが補間装置１７０３に入力される。補間装置１７０３において、ＲＡＭ１７０２に格納された変換用プロファイルを参照し、ＲＧＢデータからＣＭＹＫデータへの変換を行い、端子１７１２を通じて、出力デバイスＩ／Ｆ１６０８に渡される。
【００２０】
上記構成におけるプロファイル作成部１７０１の動作について説明する。なお本説明におけるプロファイル作成部１７０１の写像動作においては、均等表色系の色空間としてＬ＊ａ＊ｂ＊色空間を用いる。
【００２１】
まず始めに、ＣＰＵ１６０１からの指令により入力デバイスの入力色空間情報ならびに出力デバイスのプリンタ色再現域情報が送信される。送信された２つの情報（入力色空間情報、プリンタ色再現域情報）は、それぞれプロファイル作成部１７０１内の入力色域記憶装置１７０４とプリンタ色域記憶装置１７０５に記憶される。
【００２２】
次に、プロファイル作成部１７０１内部が以下の様に動作する。まず、写像パラメータ計算装置１７０６が動作し、色域写像装置１７０７において色空間圧縮をするのに必要な各種パラメータを算出する。写像パラメータ計算装置１７０６におけるパラメータ計算が終了すると、色域写像装置１７０７が動作し、均等表色系において入力色再現域をプリンタ色再現域へ写像する。本説明における色域写像装置１７０７は図３のフローチャートに従って写像処理を行うが、本動作の詳細は後述する。
【００２３】
次に、プロファイル作成装置１７０８は最終写像結果であるところの写像色再現域を参照して、入力カラー画像信号から出力カラー画像信号に変換するための変換用プロファイルを作成し、ＲＡＭ１７０２へ該変換用プロファイルを書き込む。以上で、一連の動作が終了する。
【００２４】
以下に、色域写像装置１７０７における写像処理について、図３のフローチャートを用いて説明する。尚、本説明において、ある色とある色とを結ぶ連続した軌跡を階調線と呼称する。
【００２５】
まずステップＳ３０１にて、入力色再現域の写像を規定する為の標本点を決定する。標本点は、入力色再現域表面の写像を規定する表面標本点と、入力色再現域内部の写像を規定する内部標本点とに分かれる。次にステップＳ３０２にて、表面標本点に関し、プリンタ色再現域の何処に写像すべきかを定める。尚、表面標本点の写像結果は必ずしもプリンタ色再現域の表面に位置するとは限らない。
【００２６】
ステップＳ３０３では、内部標本点に関し、プリンタ色再現域の何処に写像すべきかを定める。但し、内部標本点の写像結果が必ずプリンタ色再現域の内部に位置するよう、写像は制御される。続いてステップＳ３０４にて、所定の異なる２つの表面標本点を結ぶ階調線（以下、表面階調線）を規定する。
【００２７】
ステップＳ３０５では、表面階調線について、プリンタ色再現域の何処に写像すべきかを定める。尚、表面階調線の写像結果は必ずしもプリンタ色再現域の表面に位置するとは限らない。続いてステップＳ３０６にて、所定の異なる２つの内部標本点を結ぶ階調線（以下、内部階調線）を規定する。
【００２８】
ステップＳ３０７では、内部階調線について、プリンタ色再現域の何処に写像すべきかを定める。内部階調線の写像結果は必ずプリンタ色再現域の内部に位置するように、写像は制御される。
【００２９】
最後にステップＳ３０８において、写像色再現域を表現するために所望される色について、入力色再現域から写像色再現域への写像結果を、表面階調線ならびに内部階調線より取得する。
【００３０】
以上のような構成および処理方法を備える従来の画像処理装置において、例えば、特開平８−２５６２７５号公報には、写像パラメータ計算装置１７０６および色域写像装置１７０７において、Ｗ−Ｃｏｌ−Ｂｋ間の標本点に対する写像点が同一の色相変化となるように定義する場合において、均等表色系であるＬａｂ色空間やＬＣＨ色空間における色相角を使用する方法が開示されている。そして、Ｗ−Ｃｏｌ−Ｂｋ間における再現色について、均等表色系であるＬａｂ色空間やＬＣＨ色空間における色相角の角度が同じであるように写像点を定義する方法が開示されている。
【００３１】
【特許文献１】
特開平８−２５６２７５号公報
【発明が解決しようとする課題】
しかしながら、上記のＬａｂ色空間やＬＣＨ色空間は、人間の視覚特性と必ずしも一致しておらず、明度によって同じ色に見える色が同じ色相角上にあるとは限らず、また、彩度についても同じ色に見える色が同じ色相角上にあるとは限らない。
【００３２】
そのため、上記Ｌａｂ色空間やＬＣＨ色空間における同一色相角を用いた色補正方法では、入力カラー画像信号を色補正し、出力機器によって画像出力した場合、任意のＣｏｌについて、特にプライマリカラーであるＣｏｌについて、Ｗ−Ｃｏｌ−Ｂｋ間の色相のばらつきが生じ、Ｗ−Ｃｏｌ−Ｂｋ間において同じ色の変化とはならなかった。
【００３３】
具体例をあげると、プレゼンテーション資料において画像の背景に多用される青色から黒色へ明度が変化するグラデーションについて、従来プリンタで出力された画像が、青色から黒色への滑らかな変化とならず、途中の色相がずれたり、ばらついたりしてしまっていた。
【００３４】
本発明は上述した問題を解決するためになされたものであり、入力画像信号を出力画像信号へ変換する色変換において、人間の視覚特性に合致し、色のずれやバラツキのない色再現を実現することが可能な画像処理装置を提供することを目的とする。
【００３５】
【課題を解決するための手段】
上記の目的を達成するために本発明にかかる画像処理装置は以下のような構成を備える。即ち、
第１のデバイスを介して入力される画像信号を、第２のデバイスを介して出力される画像信号へ色変換可能な画像処理装置であって、
視覚特性に対応した色信号情報をもつ色空間における任意の色相における各明度ごとの等色相線を、均等表色系の色空間に変換することで得られる均等表色系の色空間における等色相線を設定する等色相線設定手段と、
前記第２のデバイスにおいて色再現可能な色域の最外郭部を、前記均等表色系の色空間の各明度ごとに算出する外郭算出手段と、
前記均等表色系の色空間において、白色から黒色に至るまでの、所定の色相における色の階調変化を示す階調点情報を、前記等色相線設定手段により設定される等色相線と、前記外郭算出手段により算出される最外郭部とに基づいて、各明度ごとに算出する階調点算出手段と、
前記階調点情報に基づいて、色変換のためのプロファイルを生成するプロファイル生成手段とを備える。
【００３６】
【発明の実施の形態】
【第１の実施形態】
まず、本発明の第１の実施形態にかかる画像処理装置による色補正処理の概略について、図５を用いて説明する。
【００３７】
当該画像処理装置は、入力デバイスより入力されるＲＧＢ色空間上の任意の点を、均等表色系の色空間に変換し、出力デバイスより出力するにあたり、階調の変化を滑らかにするように色補正処理する。
【００３８】
階調の変化を滑らかにするためには、人間の視覚特性と一致した色変換を行う必要があるが、これを実現するために、本実施形態では、人間の目に対して均等な明度変化、色相変化、彩度変化を有するＨＶＣ色空間を用いる。
【００３９】
図５はＨＶＣ色空間において、縦軸に明度を、横軸に彩度をとった場合の、Ｒｅｄ面を表したものである（ただし、入力デバイスより入力されるＲＧＢ色空間上で色再現可能な範囲に限っているものとする）。
【００４０】
同図において、左上の点はＷｈｉｔｅであり、ＲＧＢ色空間上の座標で表現すると、（２５５，２５５，２５５）に相当する。また、左下の点はＢｌａｃｋであり、ＲＧＢ色空間上の座標で表現すると、（０，０，０）に相当する。つまり、縦軸はＲＧＢ色空間上の座標で表現すると、（０，０，０）から（２５５，２５５，２５５）まで変化するグレー軸を表す。ＲｉはＲｅｄ面における表面標本点を表し、インデックスｉは表面標本点に対して明度の高い順に番号をふったものである。Ｒ６がプライマリーカラーＲｅｄに対応する。
【００４１】
したがって、入力デバイスより入力されるＲＧＢデータが、ＷｈｉｔｅからＲｅｄ、さらにＲｅｄからＢｌａｃｋへと色が変化するグラデーションであった場合には、当該ＲＧＢデータを色変換した色座標値が、図５に示すＲｅｄ面上（つまりＨＶＣ色空間上の同一色相角上）を移動するように写像パラメータを決定し、当該写像パラメータに従って色変換を行うことで、出力される画像において、色相ずれが生じたり、ばらついてみえたりするようなことがなくなる。
【００４２】
ただし、従来例でも述べたように、一般に出力デバイスにおけるグラデーションの色再現にあたっては、鮮やかな色が好まれるため、出力デバイスのもつ色域の最外郭部の色（彩度の大きい色）を使用する必要がある。つまり、入力デバイスより入力されるＲＧＢデータが、ＷｈｉｔｅからＲｅｄ、さらにＲｅｄからＢｌａｃｋへと色が変化するグラデーションであった場合には、当該ＲＧＢデータを色変換した色座標値が、図５に示すＲｅｄ面上であって、かつ、出力デバイスのもつ色域の最外郭部を示す色座標値上を移動することとなる。
【００４３】
ここで、出力デバイスのもつ色域の最外郭部は、Ｌａｂ色空間上で表現されるため、ＨＶＣ色空間上のＲｅｄ面をＬａｂ色空間に変換する必要がある。
【００４４】
そこで、Ｒｅｄ面を複数の明度に分割し、各明度における等色相線（ＨＶＣ色空間等色相線）ごとにＬａｂ色空間に変換し、Ｌａｂ色空間等色相線を求め、当該Ｌａｂ色空間等色相線と出力デバイスのもつ色域の最外郭部との交点を求める（当該交点を、階調点情報と称す）。
【００４５】
このようにして求められた階調点情報は、Ｌａｂ色空間の同一色相角上にはないが、人間の視覚特性には適合している。したがって、入力デバイスより入力されるＲＧＢデータが、ＷｈｉｔｅからＲｅｄ、さらにＲｅｄからＢｌａｃｋへと色が変化するグラデーションであった場合には、当該ＲＧＢデータを色変換した色座標値が、階調点情報に示す色座標値上を移動するよう色補正処理することで、出力される画像は、人間の目には、滑らかに色変化するしているように見える。
【００４６】
さらに、Ｇｒｅｅｎ面、Ｂｌｕｅ面、Ｃｙａｎ面、Ｍａｇｅｎｔａ面、Ｙｅｌｌｏｗ面においても、上記と同様に滑らかな色相変化を実現するように色補正処理がなされる。以下に、本実施形態にかかる画像処理装置の詳細について説明する。
【００４７】
１．全体システム構成
本発明の第１の実施形態にかかる画像処理装置の概要、構成について、図１に示されるブロック図を参照しながら説明する。
【００４８】
１０１はＣＰＵであり、ＲＯＭ１０２に記憶されている情報データや制御プログラム、ＯＳ（オペレーティングシステム）、アプリケーションプログラム（以下、アプリケーションという）、デバイスドライバ等に従って、ＲＡＭ１０３、操作部１０４、画像処理部１０５、モニタ１０６、入力デバイスＩ／Ｆ１０７、出力デバイスＩ／Ｆ１０８の各種制御を行う。
【００４９】
１０７はＣＣＤセンサを含むイメージスキャナ等の画像読取装置や測色器等の入力デバイスに接続可能な入力デバイスＩ／Ｆであり、該入力デバイスＩ／Ｆを介して評価対象の色空間情報を画像処理装置に入力する。１０８はインクジェットプリンタ、熱転写プリンタ、ドットプリンタ等の出力デバイスに接続可能な出力デバイスＩ／Ｆであり、色補正された画像が出力デバイスＩ／Ｆを介して出力される。
【００５０】
ＲＡＭ１０３は各種制御プログラムや操作部１０４から入力されるデータを保持するための作業領域及び一時待避領域である。１０４は操作部であり、出力デバイスの設定データの入力等を行う。１０５は画像処理部であり、色補正処理等の各種画像処理を行う。
【００５１】
１０６はモニタであり、画像処理部１０５の画像処理結果や操作部１０４より入力された設定データ等を表示する。
【００５２】
２．画像処理部
（１）画像処理部の構成
次に、図２を用いて、画像処理部１０５について説明する。同図において、２０２から２１２までの番号がふられた各々の装置は、従来例において述べた図１７の１７０２から１７１２までの番号がふられた各々の装置と同様であるため、説明は省略する。
【００５３】
本実施形態にかかる画像処理部１０５と、従来例で述べた画像処理部１６０５との差異は、画像処理部１０５が階調点設定装置２１３を有する点にある。階調点設定装置２１３は、入力画像におけるグラデーション部分について、人間の視覚に対して色相が滑らかな変化となるようなグラデーションを実現する階調点情報の設定処理を行う。
【００５４】
従来の画像処理装置では、Ｗ−ｃｏｌ−Ｂｋ間における再現色が、Ｌａｂ色空間の同一色相角上にあったため、当該色相角におけるプリンタ色再現域情報がそのまま階調点情報となったが、本発明にかかる画像処理装置では、Ｗ−ｃｏｌ−Ｂｋにおける再現色が、Ｌａｂ色空間の同一色相角上にないため、明度ごとに階調点を求める必要がある。
【００５５】
（２）画像処理部の処理フロー
本実施形態における画像処理部１０５の動作を、図４に示されるフローチャートによって説明する。
【００５６】
まず、ステップＳ４０１において、上記プロファイル作成部２０１内の入力色域記憶装置２０４とプリンタ色域記憶装置２０５とに、上記入力色空間情報とプリンタ色再現域情報がそれぞれ格納される。
【００５７】
ステップＳ４０２において、色補正処理する色相（対象色相）を指定する。
【００５８】
ステップＳ４０３において、プリンタ色再現域に対して任意に分割された明度について、対象色相をもつ等色相線を均等表色系のＬａｂ色空間上の値（Ｌａｂ色空間等色相線情報）として獲得する。
【００５９】
ステップＳ４０４では、プリンタ色再現域の外郭情報と明度毎のＬａｂ色空間等色相線情報とにより、明度毎のＬａｂ色空間等色相線とプリンタ色再現域の外郭との交点座標を獲得する。以降、明度毎の交点座標を階調点情報と呼ぶ。
【００６０】
ステップＳ４０５では、入力色空間上において白から黒へ対象色相を保持したまま連続的に変化する標本点について、標本点の対象色相に対応する階調点情報を獲得し、該階調点情報に基づいて各標本点に対する写像点座標を獲得するための制御情報を獲得する。
【００６１】
ステップＳ４０６において、階調点情報と制御情報とに基づいて、入力色空間上において白から黒へ対象色相を保持したまま連続的に変化する標本点に対する写像点座標を決定する。
【００６２】
ステップＳ４０７において、決定された写像点座標をＲＡＭ上の所定の格納メモリに格納する。
【００６３】
ステップＳ４０８において、本処理の対象となる色相について全て上記処理を行ったかを判別する。
【００６４】
ステップＳ４０８において、まだ未処理のものがあれば、ステップＳ４０２に戻り、本処理の対象となる残りの色相について上記処理を繰り返す。
【００６５】
ステップＳ４０８において、本処理の対象となる全ての色相について処理が行われていれば、ステップＳ４０９において、本処理によって決定し格納された写像点座標を用いて、色域写像装置２０７における上記図３のフローに則った手順による色域写像処理によって、入力画像信号から出力画像信号への色変換を行うプロファイルを作成する。
【００６６】
以上のように本実施形態にかかる画像処理装置では、階調点設定装置２１３において、指定された色相値について滑らかな階調変化を実現するための階調点情報を、プリンタ色再現域から等色相線情報に基づいて獲得し、格納することができる。
【００６７】
この結果、色域写像装置２０７では、格納された階調点情報に基づいて写像点を決定し、当該写像点に基づいて標本点に対する色域写像処理を行うことができる。さらに、プロファイル作成装置２０８では、当該色域写像処理結果に基づいてプロファイルを作成する。つまり、本実施形態によって作成されたプロファイルを用いることで、対象色相について滑らかな階調変化を実現する色補正処理を実現することが可能となる。
【００６８】
３．階調点設定装置
（１）階調点設定装置の構成
階調点設定装置２１３の構成を図６を用いて説明する。同図において、６０１および６０２は入力色空間メモリおよび出力色空間情報メモリであり、それぞれ、入力色空間情報および出力デバイスにおけるプリンタ色再現域情報を均等表色系のＬａｂ色空間座標情報として格納する。
【００６９】
６０５は明度分割情報データメモリであり、出力色空間に対して階調点情報を求める明度を格納する。６０４は色相格納データメモリであり、指定された色相情報を格納する。
【００７０】
６０６は等色相線設定部であり、明度分割情報データより指定される明度における、指定された色相情報に基づくＨＶＣ色空間等色相線を設定する。６０９は等色相線データ格納メモリであり、設定したＨＶＣ色空間等色相線情報を格納する。
【００７１】
６０３はＨＶＣ色空間参照データメモリであり、色相、明度、彩度について人間の目と均等なＨＶＣ色空間に基づいて、ＨＶＣ色空間等色相線を均等表色系のＬａｂ色空間等色相線へ変換する。
【００７２】
６０７は、外郭算出処理部であり、プリンタ色再現域情報より出力色空間の最外郭部の座標情報を求める。６０８は交点算出処理部であり、最外郭座標情報と明度毎のＬａｂ色空間等色相線との交点を求める。６１０は階調点データメモリであり、指定された明度における階調点情報として、最外郭座標情報と明度毎のＬａｂ色空間等色相線との交点の座標情報を格納する。
【００７３】
（２）階調点設定装置の処理フロー
以下に、階調点設定装置２１３における動作を図７に示されるフローチャートを用いて説明する。
【００７４】
ステップＳ７０１において、入力色空間情報およびプリンタ色再現域情報を獲得する。入力色空間情報はＲＧＢデータであり、入力色空間情報メモリ６０１に格納される。また、プリンタ色再現域情報は、プリンタにおいて色再現可能な範囲をＬａｂ色空間座標で記述したものであり、出力色空間情報メモリ６０２に格納される。
【００７５】
ステップＳ７０２において、指定された色相を獲得する。ここでは、図５に示されるＲＧＢデータにおいては、Ｒｅｄが指定される色相となり、プリンタ色再現域においてＲｅｄについて好ましい色再現を行うＨＶＣ色空間上の色相を目標色相値として獲得する。つまり、目標色相値は、人間の目に対して均等な明度、色相、彩度変化を行う色相である。
【００７６】
なお、本実施形態においてプライマリカラーのような主要な色に関しては、あらかじめその色について最適な目標色相値が定義されている。
【００７７】
指定された色相Ｒｅｄについて図１２に示される色相格納データメモリを参照し、目標色相値を選択する。
【００７８】
図１２において、色相情報データメモリの構成の一例を示す。
【００７９】
各色相別の目標色相値を格納するメモリ領域１２０１乃至１２０６については、それぞれ標本点に対して、Ｒｅｄ、Ｇｒｅｅｎ、Ｂｌｕｅ、Ｃｙａｎ、Ｍａｇｅｎｔａ、Ｙｅｌｌｏｗの色相が指定された場合の、所定の値があらかじめ格納されている。
【００８０】
本実施形態において、図１２では、各目標色相値はマンセル表色色空間における色相Ｈで示され、格納されている。
【００８１】
よって、本ステップにおいては、Ｒｅｄにおけるマンセル色相値５Ｒが、メモリ領域１２０１より読み出され、目標色相値として獲得される。
【００８２】
従って、本実施形態では、明度毎のＨＶＣ色空間等色相線を求めるためのＨＶＣ色空間にはマンセル表色色空間を用い、ＨＶＣ色空間参照データ６０３にはマンセル表色色空間とＬａｂ色空間との座標点を対応づける情報が格納される。また、目標色相値と明度分割情報とによって、明度毎のＨＶＣ色空間等色相線情報が設定される。
【００８３】
ここで、色相格納データメモリ６０４においては、ユーザの任意の指定色、または色域写像装置２０７におけるユーザの任意の標本点について、その目標色相値を指定し、登録できるような構成を持つものであっても良い。１２０７、１２０８以降はユーザの任意の指定による目標色相値の登録、削除ができるメモリ領域である。ユーザが任意に指定する標本点に対して、本ユーザが指定する色相についてのＨＶＣ色空間等色相線情報を登録しておき、ユーザが指定する標本点の写像点について、Ｗ−指定色−Ｂｋ間において滑らかな階調特性を持つように写像することが可能となる。
【００８４】
図７に戻る。ステップＳ７０３において、出力色空間における明度分割数ｎを獲得する。出力色空間であるプリンタ色再現域に対して、Ｗ−指定色−Ｂｋ間における明度分割情報があらかじめ任意に決定されている。本実施形態においては、明度に対する分割数ｎと、明度情報Ｌ＊＝Ｌ１〜Ｌｎとが分割明度情報データメモリ６０５に格納されている。ここで、分割明度情報データメモリ６０５に格納されている明度分割数ｎを読み出す。
【００８５】
ステップＳ７０４において、ＨＶＣ色空間等色相線情報を設定するための明度カウンタをセットする。
【００８６】
ステップＳ７０３において獲得された明度分割数ｎを等色相線設定部６０６内にある分割数カウンタ（図６には未記載）に格納する。
【００８７】
ステップＳ７０５において、分割数カウンタに格納された明度分割情報に基づき、分割明度情報データメモリ６０５に格納されている明度情報を一つ選択し、等色相線設定対象明度として獲得する。
【００８８】
選択された等色相線設定対象明度に対して、ステップＳ７０６において、Ｌａｂ色空間等色相線情報を設定する。
【００８９】
等色相線設定部６０６において、等色相線設定対象明度に対するＨＶＣ色空間等色相線情報を、ＨＶＣ色空間参照データより獲得する。この時、ＨＶＣ色空間等色相線情報は連続する座標点（線分）の情報であっても、いくつかの離散的な座標点情報として求められるものであっても良い。本実施形態においては、後者の形態でＨＶＣ色空間等色相線情報を持つ。求められたＨＶＣ色空間等色相線情報を、等色相線設定部６０６において、Ｌａｂ色空間等色相線情報に変換し、等色相線データメモリ６０９に格納する。
【００９０】
図１４において、本実施形態において設定された等色相線データメモリ６０９の一例を示す。データメモリ１４０１、１４０９、１４１０はそれぞれ、等色相線設定対象明度、Ｌ＊＝Ｌ１、Ｌ２、ＬｎにおけるＬａｂ色空間等色相線をあらわすＬａｂ色空間座標データの集合となっている。
【００９１】
１４０２乃至１４０８における左端におけるインデックスは、Ｌａｂ色空間等色相線を求める際に彩度の低い順に番号をふったものであり、対応するＬａｂ色空間等色相線上のａｂ座標点がそれぞれ格納される。
【００９２】
再び図７に戻る。ステップＳ７０７では、交点算出処理部６０８において、プリンタ色再現域情報と等色相線設定対象明度におけるＬａｂ色空間等色相線情報とにより、プリンタ色再現域の最外郭部とＬａｂ色空間等色相線との交点座標（階調点）を算出する。
【００９３】
ステップＳ７０８において、分割数カウンタの値をデクリメントする。
【００９４】
ステップＳ７０９において、分割数カウンタの値をチェックする。カウンタ数が０であれば、算出した全ての階調点を階調点データメモリ６１０に格納し、本処理を終了する。
【００９５】
図１３において算出した全ての階調点を格納する階調点データメモリ６１０の一例を示す。
【００９６】
本図に示すように、プリンタ色再現域の最外郭部とＬａｂ色空間等色相線との交点座標は指定される色別に格納され、各色ごとの交点座標は、分割明度毎に格納される。例えば、等色相線データメモリ６０９に、明度分割数１１のＲｅｄにおけるＬａｂ色空間等色相線情報が格納されていた場合には、等色相線データメモリ１３０１には、階調点Ｒ１−Ｒ１１のＬａｂ色空間座標値と、標本点ＷおよびＢｋのＬａｂ色空間座標値とが格納されることとなる。
【００９７】
再び図７に戻る。ステップＳ７０９において、分割数カウンタのカウンタ数が０でなければ、ステップＳ７０５に戻り、残りの分割明度に対するプリンタ色再現域の最外郭部におけるＬａｂ色空間等色相線との交点座標を算出する。
【００９８】
（３）階調点設定装置の処理結果
図１１に、本実施形態の階調点設定装置における処理の結果を示す。
【００９９】
縦軸は明度軸を示し、平面座標軸はそれぞれ均等表色系の色空間であるＬａｂ色空間における直交座標軸ａ＊軸、ｂ＊軸である。実線はプリンタ色再現域を示す。Ｗ−Ｂｋ間に点線で示される線における明度Ｌ１〜Ｌｎが、上記処理における分割明度情報である。また、明度情報Ｌ１〜Ｌｎに対応づけられたＲｅｄにおけるマンセル色相５Ｒを再現する各明度毎のＬａｂ色空間等色相線情報が点線により示されている。
【０１００】
図１１に示されるプリンタ色再現域におけるＷ−Ｒｅｄ−Ｂｋの最外郭部と、点線によって示されるＬａｂ色空間等色相線情報との交点が黒丸によって示され、Ｗ−Ｒｅｄ−Ｂｋの最外郭部と、Ｗ−Ｂｋのグレイラインによって囲まれる領域とによる断面図をあらわしている。
【０１０１】
ＷからＢｋに向かうＷ−Ｒｅｄ−Ｂｋの最外郭上の黒丸の列が、実際の交点座標（階調点）である。かかる黒丸の列は、人間の目に対して均等な明度、色相、彩度変化をするＨＶＣ空間に基づいて求められた色度点であることから、黒丸によって示される明度に対する色相の変化が、Ｗ−Ｒｅｄ−Ｂｋ間において人間の視覚に対して滑らかな色相変化を生じせしめる。
【０１０２】
４．色域写像装置
（１）色域写像装置の構成
次に、色域写像装置２０７について、図８を用いて説明する。
【０１０３】
同図において、８０１は標本点情報メモリであり、Ｗｈｉｔｅ、Ｒｅｄ、Ｂｌａｃｋ間のＲＧＢデータである表面標本点情報を格納する。８０２はライン情報メモリであり、標本点情報の持つ色属性情報に基づいて、等色相線データメモリ６０９より獲得された階調点情報を格納する。
【０１０４】
８０３は条件情報メモリであり、対象となる標本点をプリンタ色再現域へ写像する際の制御要素が格納されている。
【０１０５】
８０５は検索処理部であり、階調点情報に基づいて標本点を写像した場合の写像点座標を獲得する。８０４は出力データメモリであり、写像点座標を格納する。また、８０６は補間処理部であり、獲得した写像点座標に対して補間処理を行う。
【０１０６】
（２）色域写像装置の処理フロー
以下に、色域写像装置２０７において、階調点設定装置２１３に格納された階調点に基づいて、標本点に対する写像点を求める動作を図９のフローチャートを用いて説明する。
【０１０７】
ステップＳ９０１において、入力色空間におけるＷｈｉｔｅ、Ｒｅｄ、Ｂｌａｃｋ間のＲＧＢデータ標本点情報を獲得する。
【０１０８】
ステップＳ９０２において、Ｗｈｉｔｅ、Ｒｅｄ、Ｂｌａｃｋ間のＬａｂ色空間における階調点情報を獲得する。
【０１０９】
ステップＳ９０３において標本点を出力色空間上の階調点に基づいて写像するための、制御要素もしくは制御条件を獲得する。前記制御要素もしくは制御条件は、色域写像装置２０７において決定される。本実施形態では、写像パラメータおよびプリンタ色再現域情報より、ＲＧＢデータに対する各標本点をプリンタ色再現域に写像する際の明度が、色域写像装置２０７において、標本点の写像を行う時に決定される。この場合、各標本点のプリンタ色再現域における明度が制御要素である。
【０１１０】
制御要素は、彩度や写像点間の距離や写像点間の距離の比率等、結果的に階調制御を扱う要素であれば良い。
【０１１１】
ステップＳ９０４において、対象標本点を選択する。ステップＳ９０５において、制御要素に基づき、標本点に対する写像点を決定する。
【０１１２】
ここでは、対象標本点における明度より、階調点情報から明度に対応する写像点座標を決定する。写像点の決定については、以下、図１０に示すフローチャートにより詳細に説明する。
【０１１３】
ステップＳ９０６において、全対象標本点に対する写像点の決定が終わったかを判断する。
【０１１４】
全対象標本点に対する写像点の決定が終わっていなければ、ステップＳ９０４に戻り、残りの標本点に対応する写像点を決定する。
【０１１５】
ステップＳ９０６において、全対象標本点に対する写像点の決定が終わっていれば、本処理を終了する。
【０１１６】
また、上記ステップＳ９０５における標本点に対して写像点を決定する処理について、図１０に示すフローチャートによって詳細に説明する。
【０１１７】
ステップＳ１００１において、図１１に示されるＷ−Ｂｋ間において点線で示される明度情報Ｌ１〜Ｌｎに対応づけられた色相Ｈを色再現するＬａｂ色空間等色相線情報と、プリンタ色再現域の最外郭部との交点である黒点の座標情報を獲得し、ライン情報メモリに格納する。
【０１１８】
ステップＳ１００２において、色域写像装置２０７において、Ｗ−ｃｏｌ−Ｂｋ間の任意の標本点に対する写像点の制御要素である明度を獲得する。
【０１１９】
ステップＳ１００３において、ライン情報メモリ８０２に格納された階調点情報より、所定の標本点に対する写像点の明度を挟む両側の明度を有する階調点の座標を獲得する。
【０１２０】
ステップＳ１００４において、写像点の明度、及び階調点情報のもつ明度情報に基づき、写像点の均等表色系におけるＬａｂ色空間座標点を補間により求める。この時、線形補間、非線形補間といった各種補間方法を用いても良い。また、補間処理部において、あらかじめいくつかの補間処理が格納されており、階調点情報に基づいて、Ｗ−ｃｏｌ−Ｂｋ間の階調点の連なりにおける線形性の程度に応じて適宜補間処理方法を選択し、補間を行っても良い。
【０１２１】
ステップＳ１００５において、ステップＳ１００４において補間により求めた写像点の座標点情報を、写像点座標として決定、出力データメモリに格納する。
【０１２２】
以上の図１０に示されるフローチャートに則った処理によって、Ｗｈｉｔｅ、Ｒｅｄ、Ｂｌａｃｋ間のＲＧＢデータに対し、所望の赤の色相値を保持するプリンタ色再現域における写像点が決定され、Ｗｈｉｔｅ、Ｒｅｄ、Ｂｌａｃｋ間において人間の視覚的に対して滑らかな色相変化を再現するプリンタ色が決定された。
【０１２３】
以上、図７、図９、図１０のフローチャートによって示される、所望の色相値において階調変化を行うプリンタ色再現域上の写像点を決定する処理を、少なくとも、プライマリカラーであるＧｒｅｅｎ、Ｂｌｕｅ、Ｃｙａｎ、Ｍａｇｅｎｔａ、Ｙｅｌｌｏｗについて行う。
【０１２４】
以降、色域写像装置よって上記決定された写像点に基づき、他のＲＧＢデータについてもプリンタ色再現域情報への色補正処理が行われる。
【０１２５】
色補正処理結果よりプロファイル作成装置によって、本実施形態に基づく色補正カラープロファイルが作成される。
【０１２６】
以上、本実施形態によれば、作成されたプロファイルを用いて、ＲＧＢ色空間情報をもつ画像データをプリンタによって出力する場合において、プライマリカラーであるＲｅｄ、Ｇｒｅｅｎ、Ｂｌｕｅ、Ｃｙａｎ、Ｍａｇｅｎｔａ、ＹｅｌｌｏｗについてＷｈｉｔｅ−プライマリカラー−Ｂｌａｃｋ間のＲＧＢ画像データの出力における色相変化を人間の視覚特性に基づいて滑らかに変化する画像を実現することができる。
【０１２７】
【第２の実施形態】
上記第１の実施形態においては表面標本点、表面階調線の写像点の決定についてのみ説明した。
【０１２８】
本実施形態では、内部標本点および内部標本点の変化をあらわす内部階調線についても、プリンタ色再現域においてある一定の明度において、彩度方向に階調が変化するようなＲＧＢデータを選択し、ＲＧＢデータの連続変化における色相Ｈを決定し、ＲＧＢデータの連続変化における色相変化が滑らかになるように色相Ｈに基づく階調点を設定し、ＲＧＢデータにおける標本点に対する写像点を決定し、写像処理装置における写像処理を行う。
【０１２９】
検索処理部８０５は、内部標本点に対応する写像点は、明度のみならず、彩度情報に基づき、２次元、３次元の補間を行う補間処理によって算出するものであっても良い。
【０１３０】
図１５において、本実施形態の処理による結果を示す。同図において、実線にて示されるプリンタ色再現域は、Ｗ−Ｒ−Ｂｋ領域における断面をあらわしている。
【０１３１】
点線で示される明度が、第１の実施形態に基づく処理における分割明度情報である。各明度毎におけるＬａｂ色空間等色相線情報を点線によって示している。
【０１３２】
図１５に示されるプリンタ色再現域と、点線によって示されるＬａｂ色空間等色相線情報による交点が黒丸によって示されている。
【０１３３】
ある明度におけるＷ−Ｒ−Ｂｋ上の座標Ｒから、同じ明度を持つグレイに向かう白丸の列が、本実施形態において決定された、内部標本点に対する写像点であり、人間の目に対して均等な明度、色相、彩度変化をするＨＶＣ空間に基づいて求められた色度点であることから、白丸によって示される彩度に対する色相の変化においても、人間の視覚に対して滑らかな色相変化を生じせしめる。
【０１３４】
本実施形態に基づいて作成されたプロファイルによって、ＲＧＢ色空間情報をもつ画像データをプリンタによって出力するにおいて、ＲＧＢ画像データの出力における色相変化について、人間の視覚において滑らかに変化するように変換することを実現する。
【０１３５】
【他の実施形態】
＜記憶媒体＞
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用しても良い。
【０１３６】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【０１３７】
この場合、記憶媒体から読み出されたプログラムコード自体が前述した実施形態の機能を実現することになり、そのプログラムコードを記憶した記憶媒体は本発明を構成することになる。
【０１３８】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることが出来る。
【０１３９】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【０１４０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１４１】
【発明の効果】
以上説明したように本発明によれば、入力画像信号を出力画像信号へ変換する色変換において、人間の視覚特性に合致し、色のずれやバラツキのない色再現を実現することが可能となる。
【図面の簡単な説明】
【図１】本発明の実施形態にかかる画像処理装置の概略構成を示すブロック図である。
【図２】本発明の実施形態にかかる画像処理装置を構成する画像処理部の構成を示すブロック図である。
【図３】本発明の実施形態にかかる画像処理装置を構成する色域写像装置の処理の流れを示すフローチャートである。
【図４】本発明の実施形態にかかる画像処理装置を構成する階調点設定装置の処理の流れを示すフローチャートである。
【図５】本発明の概略を説明するための図である。
【図６】本発明の実施形態にかかる画像処理装置を構成する画像処理部の詳細を示すブロック図である。
【図７】本発明の実施形態にかかる画像処理装置における処理の流れを示すフローチャートである。
【図８】本発明の実施形態にかかる画像処理装置を構成する色域写像装置の詳細を示すブロック図である。
【図９】本発明の実施形態にかかる画像処理装置における処理の流れを示すフローチャートである。
【図１０】本発明の実施形態にかかる画像処理装置における処理の流れを示すフローチャートである。
【図１１】本発明の実施形態にかかる画像処理装置による処理結果を示す図である。
【図１２】本発明の実施形態にかかる画像処理装置の構成の一例を示した図である。
【図１３】本発明の実施形態にかかる画像処理装置の構成の一例を示した図である。
【図１４】本発明の実施形態にかかる画像処理装置の構成の一例を示した図である。
【図１５】本発明の実施形態にかかる画像処理装置による処理結果を示す図である。
【図１６】従来の画像処理装置の概略構成を示すブロック図である。
【図１７】従来の画像処理装置を構成する画像処理部の構成を示すブロック図である。
【符号の説明】
１０１…　ＣＰＵ
１０２…　ＲＯＭ
１０３…　ＲＡＭ
１０４…　操作部
１０５…　画像処理部
１０６…　モニタ
１０７…　入力デバイスＩ／Ｆ
１０８…　出力デバイスＩ／Ｆ
２０１…　プロファイル作成部
２０２…　ＲＡＭ
２０３…　補間装置
２０４…　入力色域記憶装置
２０５…　プリンタ色域記憶装置
２０６…　写像パラメータ作成装置
２０７…　色域写像装置
２０８…　プロファイル作成装置
２０９…　端子
２１０…　端子
２１１…　端子
２１２…　端子
２１３…　階調点設定装置
６０１…　入力色空間情報メモリ
６０２…　出力色空間情報メモリ
６０３…　ＨＶＣ色空間参照データメモリ
６０４…　色相格納データメモリ
６０５…　分割明度情報データメモリ
６０６…　等色相線設定部
６０７…　外郭算出処理部
６０８…　交点算出処理部
６０９…　等色相線データメモリ
６１０…　階調点データメモリ
８０１…　標本点情報メモリ
８０２…　ライン情報メモリ
８０３…　条件情報メモリ
８０４…　出力データメモリ
８０５…　検索処理部
８０６…　補間処理部
１２０１…　Ｒｅｄ目標色相格納メモリ
１２０２…　Ｇｒｅｅｎ目標色相格納メモリ
１２０３…　Ｂｌｕｅ目標色相格納メモリ
１２０４…　Ｃｙａｎ目標色相格納メモリ
１２０５…　Ｍａｇｅｎｔａ目標色相格納メモリ
１２０６…　Ｙｅｌｌｏｗ目標色相格納メモリ
１２０７…　ユーザ設定色目標色相格納メモリ
１２０８…　ユーザ設定色目標色相格納メモリ
１３０１…　階調点データ格納メモリ
１４０１…　Ｌ＊＝Ｌ１における等色相線データ格納メモリ
１４０２…　等色相線ａｂ座標格納メモリ
１４０３…　等色相線ａｂ座標格納メモリ
１４０４…　等色相線ａｂ座標格納メモリ
１４０５…　等色相線ａｂ座標格納メモリ
１４０６…　等色相線ａｂ座標格納メモリ
１４０７…　等色相線ａｂ座標格納メモリ
１４０８…　等色相線ａｂ座標格納メモリ
１４０９…　Ｌ＊＝Ｌ２における等色相線データ格納メモリ
１４１０…　Ｌ＊＝Ｌｎにおける等色相線データ格納メモリ
１６０１…　ＣＰＵ
１６０２…　ＲＯＭ
１６０３…　ＲＡＭ
１６０４…　操作部
１６０５…　画像処理部
１６０６…　モニタ
１６０７…　入力デバイスＩ／Ｆ
１６０８…　出力デバイスＩ／Ｆ
１７０１…　プロファイル作成部
１７０２…　ＲＡＭ
１７０３…　補間装置
１７０４…　入力色域記憶装置
１７０５…　プリンタ色域記憶装置
１７０６…　写像パラメータ作成装置
１７０７…　色域写像装置
１７０８…　プロファイル作成装置
１７０９…　端子
１７１０…　端子
１７１１…　端子
１７１２…　端子
【図１】
2004104603.tif 000003
【図２】
2004104603.tif 000004
【図３】
2004104603.tif 000005
【図４】
2004104603.tif 000006
【図５】
2004104603.tif 000007
【図６】
2004104603.tif 000008
【図７】
2004104603.tif 000009
【図８】
2004104603.tif 000010
【図９】
2004104603.tif 000011
【図１０】
2004104603.tif 000012
【図１１】
2004104603.tif 000013
【図１２】
2004104603.tif 000014
【図１３】
2004104603.tif 000015
【図１４】
2004104603.tif 000016
【図１５】
2004104603.tif 000017
【図１６】
2004104603.tif 000018
【図１７】
2004104603.tif 000019